【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
撮影制御システムの撮影制御方法であって、
撮影スポットを含むエリアに被写体がいることを示す第１の被写体情報を取得し、
前記第１の被写体情報を取得したとき、１以上の撮影データを取得するために前記撮影スポットに向けて設置された撮影カメラで前記撮影スポットを撮影し、
前記撮影カメラで撮影された前記１つ以上の撮影データを撮影データ一時記憶部に一時保存し、
前記被写体を識別する識別情報を取得し、
前記撮影データの中から少なくとも１つ以上の撮影データと前記識別情報または前記第１の被写体情報とを紐付けるテーブルを生成し、
前記撮影データ一時記憶部に一時保存された１つ以上の撮影データの中から、前記識別情報の取得において取得した前記被写体の識別情報または前記第１の被写体情報に該当する撮影データを少なくとも１つ抽出し、
前記抽出した少なくとも１つの撮影データを前記被写体の識別情報に紐付けて撮影データ記憶部に保存する、
撮影制御方法。
【請求項２】
前記第１の被写体情報の取得において、前記第１の被写体情報として、前記識別情報が示す情報と同じ情報が取得され、
前記第１の被写体情報は、前記被写体が前記エリアに入るときに取得され、
前記テーブルは、前記少なくとも１つ以上の撮影データと前記第１の被写体情報とが紐付けられ、
前記抽出において、前記テーブルを用いて、前記被写体の識別情報と同じ前記第１の被写体情報に該当する撮影データが少なくとも１つ抽出される、
請求項１に記載の撮影制御方法。
【請求項３】
前記第１の被写体情報の取得において、前記第１の被写体情報として、前記エリア内に動体が検出されたことを示す動体検出情報が取得され、
生成される前記テーブルは、前記撮影データの中から少なくとも１つ以上の撮影データと前記識別情報とが紐付けられる、
請求項１に記載の撮影制御方法。
【請求項４】
前記第１の被写体情報の取得において、前記第１の被写体情報として、前記識別情報の取得において取得した前記識別情報が取得され、
前記テーブルは、前記少なくとも１つ以上の撮影データと前記第１の被写体情報とが紐付けられ、
前記抽出において、前記テーブルを用いて、前記被写体の識別情報と同じ前記第１の被写体情報に該当する撮影データが少なくとも１つ抽出される、
請求項１に記載の撮影制御方法。
【請求項５】
前記撮影において、前記撮影スポットは一定の時間間隔で前記撮影カメラにより繰り返し撮影され、
前記撮影は、撮影開始から一定時間が経過した際に終了される、
請求項１に記載の撮影制御方法。
【請求項６】
前記撮影制御方法は、更に、前記第１の被写体情報が取得された第１の時刻を示す第１の時刻情報を、前記一時記憶部に一時保存し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記抽出において、前記撮影データ一時記憶部に一時保存された１つ以上の撮影データの中から、前記識別情報を取得した時刻と一致する撮影時刻の撮影データが前記少なくとも１つの撮影データとして抽出される、
請求項２に記載の撮影制御方法。
【請求項７】
前記撮影制御方法は、更に、前記第１の被写体情報と前記第１の被写体情報が取得された第１の時刻を示す第１の時刻情報を、前記一時記憶部に一時保存し、
前記被写体が前記エリアから出るときに、前記第１の被写体情報と同じ情報である第２の被写体情報を取得し、
前記第２の被写体情報が取得された第２の時刻を示す第２の時刻情報を、前記一時記憶部に一時保存し、
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記識別情報の取得において、ユーザから指定された第３の時刻を示す第３の時刻情報が前記識別情報とともに取得され、
前記第３の時刻は、前記第１の時刻と前記第２の時刻との間の時刻であり、
前記抽出において、前記撮影データ一時記憶部に一時保存された１つ以上の撮影データの中から、前記第３の時刻と一致する撮影時刻の撮影データが前記少なくとも１つの撮影データとして、抽出される、
請求項２に記載の撮影制御方法。
【請求項８】
前記撮影において前記撮影スポットは一定の時間間隔で前記撮影カメラにより繰り返し撮影され、
前記撮影において取得される前記１つ以上の撮影データは、前記撮影カメラの撮影時刻が互いに異なる複数の撮影データであり、
前記抽出において、前記撮影データ一時記憶部に一時保存された１つ以上の撮影データの中から、ユーザから指定された撮影時刻の撮影データが前記少なくとも１つの撮影データとして、抽出される、
請求項２に記載の撮影制御方法。
【請求項９】
前記撮影において、前記撮影スポットは一定の時間間隔で前記撮影カメラにより繰り返し撮影され、
前記撮影において取得される前記１以上の撮影データは、前記撮影カメラによる撮影時刻が互いに異なる複数の撮影データであり、
前記識別情報の取得において、前記識別情報は、前記撮影データ一時記憶部に一時保存された前記複数の撮影データのうち、前記識別情報に対応する情報を含む少なくとも１つの撮影データから取得され、
前記抽出において、前記識別情報が取得された前記少なくとも１つの撮影データが前記撮影データ一時記憶部から抽出される、
請求項１に記載の撮影制御方法。
【請求項１０】
前記識別情報の取得において前記少なくとも１つの撮影データから前記識別情報に対応する情報を検出することで、前記識別情報は取得される、
請求項９に記載の撮影制御方法。
【請求項１１】
前記識別情報は、バーコードを用いて表される、
請求項１に記載の撮影制御方法。
【請求項１２】
前記識別情報は、前記被写体の顔画像の特徴を示す特徴情報である、
請求項１に記載の撮影制御方法。
【請求項１３】
前記識別情報は、利用可能な前記撮影カメラ及び利用可能な日時のうち少なくとも一方が制限される利用条件を有する、
請求項１に記載の撮影制御方法。
【請求項１４】
前記撮影制御方法は、更に、
前記第１の被写体情報の取得において取得した前記第１の被写体情報と、前記識別情報の取得において取得した前記識別情報とが一致する場合、前記被写体が撮影可能になっている撮影スポットをユーザが操作する端末に通知する、
請求項１に記載の撮影制御方法。
【請求項１５】
前記撮影カメラは、複数の撮影カメラであり、
前記撮影データ一時記憶部は、複数の撮影データ一時記憶部であり、
前記一時保存において、前記複数の撮影カメラで撮影された複数の撮影データが前記複数の撮影データ一時記憶部に一時保存され、
前記抽出においては、前記複数の撮影データ一時記憶部に一時保存された複数の撮影データから、前記識別情報の取得において取得した前記識別情報に該当する撮影データが少なくとも１つ抽出される、
請求項１に記載の撮影制御方法。
【請求項１６】
前記抽出において、前記少なくとも１つの撮影データは、前記複数の撮影データ一時記憶部に一時保存された複数の撮影データから抽出され、
前記保存において、前記少なくとも１つの撮影データは、前記識別情報に紐付けて前記撮影データ記憶部に保存される、
請求項１５に記載の撮影制御方法。
【請求項１７】
前記撮影カメラは、複数の撮影カメラであり、
前記一時保存において、前記複数の撮影カメラにより撮影された複数の撮影データが前記撮影データ一時記憶部に一時保存される、
請求項１に記載の撮影制御方法。
【請求項１８】
前記撮影カメラは、撮影スポットを互いに異なる撮影状態で撮影する複数の撮影カメラを含み、
前記撮影において、前記複数の撮影カメラに対して同時に撮影指示を出す、
請求項１に記載の撮影制御方法。
【請求項１９】
撮影制御システムであって、
撮影スポットに向けて設置された撮影カメラと、
前記撮影スポットを含むエリアに被写体がいることを示す第１の被写体情報を取得する被写体情報取得部と、
前記撮影カメラを制御する一次撮影制御部と、
前記撮影カメラで撮影された１つ以上の撮影データを一時保存する撮影データ一時記憶部と、
前記被写体を識別する識別情報を取得する識別情報取得部と、
前記撮影データの中から少なくとも１つ以上の撮影データと前記識別情報または前記第１の被写体情報とを紐付けるテーブルを生成する生成部と、
前記撮影データ一時記憶部から撮影データを少なくとも１つ抽出する二次撮影制御部と、
前記二次撮影制御部で抽出された少なくとも１つの撮影データを保存する撮影データ記憶部とを備え、
前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、
前記二次撮影制御部は、前記撮影データ一時記憶部に保存された１つ以上の撮影データの中から、前記識別情報取得部が取得した前記被写体の識別情報または前記第１の被写体情報に該当する撮影データを少なくとも１つ抽出し、抽出した少なくとも１つの撮影データを前記被写体の識別情報に紐付けて前記撮影データ記憶部に保存する、
撮影制御システム。
【請求項２０】
撮影制御サーバであって、
撮影スポットを含むエリアに前記被写体がいることを示す第１の被写体情報を取得する被写体情報取得部と、
前記撮影スポットに向けて設置された撮影カメラを制御する一次撮影制御部と、
前記撮影カメラで撮影された１つ以上の撮影データを一時保存する撮影データ一時記憶部と、
前記被写体を識別する識別情報を取得する識別情報取得部と、
前記撮影データの中から少なくとも１つ以上の撮影データと前記識別情報または前記第１の被写体情報とを紐付けるテーブルを生成する生成部と、
前記撮影データ一時記憶部から撮影データを少なくとも１つ抽出する二次撮影制御部と、
前記二次撮影制御部で抽出された少なくとも１つの撮影データを保存する撮影データ記憶部とを備え、
前記一次撮影制御部は、前記被写体情報取得部が前記第１の被写体情報を取得したとき、前記撮影カメラを制御して前記撮影スポットを撮影し、前記撮影カメラで撮影された１つ以上の撮影データを前記撮影データ一時記憶部に一時保存し、
前記二次撮影制御部は、前記撮影データ一時記憶部に一時保存された１つ以上の撮影データの中から、前記識別情報取得部が取得した前記被写体の識別情報または前記第１の被写体情報に該当する撮影データを少なくとも１つ抽出し、抽出した少なくとも１つの撮影データを前記被写体の識別情報に紐付けて前記撮影データ記憶部に保存する、
撮影制御サーバ。